(57)【要約】      （修正有）【課題】杉材、桧材、とど松材、唐松材の薄板材を積層させることで構成し、特にその表面処理として所定の化粧板等の貼着等によらずに、素材自体の特性をそのまま活用できるフローリング用床材を提供する。【解決手段】杉材、桧材、とど松材、唐松材による薄板材２を、その繊維方向を直交させて積層して床材本体１を形成し、この床材本体１の木口面、木端面には、隣接する床材本体１における木口面、木端面と相互に嵌め合い継ぎ合わせる凹凸嵌合部３を形成する。床材本体１の表層部分は、薄板材２自体の無垢面の儘として構成する。凹凸嵌合部３は、床材本体１の両小口面あるいは両木端面のいずれか一方は雄状の突条形部４、他方は雌状の凹溝形部５とする。また、必要に応じ、床材本体１の表層部分には、ＵＶウレタン、オイル、グラノールによる表面処理を施す。【選択図】図１
0003196836.tif 000002
【実用新案登録請求の範囲】
【請求項１】
杉材、桧材、とど松材、唐松材による薄板材を、その繊維方向を直交させて積層して床材本体を形成し、この床材本体の木口面、木端面には、隣接する床材本体における木口面、木端面と相互に嵌め合い継ぎ合わせる凹凸嵌合部を形成したことを特徴とするフローリング用床材。
【請求項２】
床材本体の表層部分は、薄板材自体の無垢面の儘としてある請求項１に記載のフローリング用床材。
【請求項３】
床材本体の表層部分は、ＵＶウレタン、オイル、グラノールによる表面処理が施される請求項１または２に記載のフローリング用床材。
【考案の詳細な説明】
【技術分野】
【０００１】
この考案は、主として杉材、桧材、とど松材、唐松材の薄板を積層させることで構成して成り、特にその表面処理として所定の化粧板等の貼着等によらずに、素材自体の特性をそのまま活用できるようにしたフローリング用床材に関する。
【背景技術】
【０００２】
従来から、この種のフローリング用床材として、特許文献１に係るフローリング用床材及びその製造方法、特許文献２に係る台形集成材等が提案されている。特許文献１のフローリング用床材は、断面台形の桧材を木表、木裏、元口、末口を交互に組み合わせて接合してなる接合材を複数段積層して芯材とし、この芯材の表面に化粧板を貼着せしめて成る。特許文献２の台形集成材は、所要巾・長さの板材を複数段積層、接着一体化してなり、各板は断面台形状の杉材・桧材を傾き面角度を対合させて接着一体化してなる並置板を継合し、該継合部をフィンガージョイント方式により接着して積層材として成る。
【先行技術文献】
【特許文献】
【０００３】
【特許文献１】特開２０００−２５０１２号公報
【特許文献２】登録実用新案第３０７６４３０号公報
【考案の概要】
【考案が解決しようとする課題】
【０００４】
ところがこれらの従来の特許文献１の床材は、積層構成の芯材に化粧板を貼着して成るから、その製造上、化粧のための工程が必要であり、面倒である。また特許文献２の集成材は断面台形状の杉材・桧材を並置、継合わせるから、その構成部材の反り方向が一致していることで反りが生じやすく、また化粧板による化粧処理が必要であることで、特許文献１におけると同様な製造上の手間が掛かる。
【０００５】
そこでこの考案は上述したような従来存した諸事情に鑑み案出されたもので、その目的は積層素材となる所定肉厚の薄板状の杉材、桧材、とど松材、唐松材で集成構成し、化粧板の貼着等の化粧処理を施すことなく、杉材、桧材、とど松材、唐松材の地肌をそのまま活用したものとし、継ぎ合い、嵌め合わせることで敷設できるようにしたフローリング用床材を提供することにある。
【課題を解決するための手段】
【０００６】
上述した課題を解決するため、この考案にあっては、後述する考案を実施するための形態における使用符号を付記して説明すると、杉材、桧材、とど松材、唐松材による薄板材２を、その繊維方向を直交させて積層して床材本体１を形成し、この床材本体１の木口面、木端面には、隣接する床材本体１における木口面、木端面と相互に嵌め合い継ぎ合わせる凹凸嵌合部３を形成したことを特徴とする。
床材本体１の表層部分は、薄板材２自体の無垢面の儘として、また、ＵＶウレタン、オイル、グラノールによる表面処理が施されることで構成することができる。
【０００７】
以上のように構成されたこの考案に係るフローリング用床材にあって、薄板材２を積層形成した床材本体１は、繊維方向が直交された状態で積層されていることで反りを生じさせず、凹凸嵌合部３によって隣接配置される他の床材本体１を確実に継ぎ合わせる。
床材本体１の表層部分は、杉材、桧材、とど松材、唐松材の薄板材２に表出されている無垢面が素材自体をそのまま活用させ、天然木の風合いを醸成させる。
ＵＶウレタン、オイル、グラノールによる表面処理が施されることで、床板本体１の表層部分を外部からの衝撃その他から保護させる。
【考案の効果】
【０００８】
この考案は以上説明したように構成されているため、杉材、桧材、とど松材、唐松材が床材本体１の表層部分にそのまま表出されていることで天然木による風合いがそのまま実現されており、繊維方向が直交された状態で薄板材２が積層されていることで、反りを生じさせることなく、凹凸嵌合部３によって隣接配置しても、歪むことなく安定した敷設状態を長期にわたって維持できる。そればかりでなく、表層部分には、従来と異なり化粧板の貼着等の二次的な加工処理は不要であるから、製造工程を省略化でき、また国産材を素材とすることとも相俟ち、一層安価に提供できる。
【０００９】
すなわちこれはこの考案において、杉材、桧材、とど松材、唐松材による薄板材２を、その繊維方向を直交させて積層して成る床材本体１の木口面、木端面に、隣接配置される床材本体１と相互に継ぎ合わせる凹凸嵌合部３を形成したからであり、これによって、天然木そのものの風合いの維持、コストダウンによる大幅な提供価格の低減化、それによる需要の喚起を図り得、更に国産材の使用によっての国策協力の利点を得ることにも寄与できる。
【００１０】
また、床材本体１の表層部分に、ＵＶウレタン、オイル、グラノールによる表面処理が施されることで、これらが表層部分を例えば外部からの衝撃その他から床材本体１を保護し、長期にわたってこれを維持させることができる。
【００１１】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１２】
【図１】この考案を実施するための一形態を示す斜視図である。
【図２】同じく分解斜視図である。
【図３】同じく相互間の嵌め合い構造を説明する断面図である。
【考案を実施するための形態】
【００１３】
以下、図面を参照してこの考案を実施するための一形態を説明すると、図において示される符号１は所定肉厚の薄板材２を積層形成した床材本体であり、この床材本体１は杉材、桧材、とど松材、唐松材から成る薄板材２をその木目方向が積層方向で互いに直交するようにして重ねられている。
【００１４】
この床材本体１は平面で例えば矩形状、望ましくは一辺が例えば約３００ｍｍ程度のほぼ正方形状を呈するものとして形成されるも、これに限らず長方形状、長尺幅状三角形状、台形状その他に形成することもでき、これらの選択はいずれも任意である。ただ、例えばフローリング用材として好適とするには、長さを例えば９００ｍｍ、１８００ｍｍ程度とし、幅員を９０〜３００ｍｍ程度とする。
【００１５】
薄板材２は、肉厚を例えば２〜３ｍｍ程度とし、これを例えば５枚で接着して重ね合わせることで全体肉厚が例えば１２ｍｍ程度となるようにした床材本体１として形成する。もとより、薄板材２の肉厚、床材本体１の肉厚それぞれは特に限定されず、集成し、合板とするに適当な肉厚、大きさが選定されるようになっている。
【００１６】
そして、これらの薄板材２自体は、国産の杉材、桧材、とど松材、唐松材を主とすることが予定されており、床材本体１として形成するに際し、これらの杉材、桧材、とど松材、唐松材のいずれかのみを素材とする場合に限らず、表層部分のみをいずれかの素材とすることも可能である。いずれにしても、表層部分が杉材であれば杉材特有の柔らかさによる例えば足面への感触を和らげると共に心地よさを与え、桧材であれば桧材特有の良好な香りが発散され、強度性によって傷つきにくく、虫の食害への耐性に優れたものとする。また、とど松材、唐松材であることで、それぞれの素材による特有の利点が得られる。
【００１７】
いずれにしても、薄板材２の積層構成によって床材本体１が構成されるも、表層部分では従来と異なり、例えばオレフィンシート、メラミンシート等の表面保護フィルム、保護材等が貼着されずに、薄板材２そのものの素材面が無垢のままで表出されている。
【００１８】
なお、場合によっては、床材本体１の表層部分に、ＵＶウレタン、オイル、グラノールによる表面処理を施すことも可能であり、こうすることで表層部分を外部からの衝撃その他から保護し、この考案による床材本体１における無垢材の儘の状態を長期にわたり維持させることができる。
【００１９】
また、この床材本体１の側縁である、例えば木口面、木端面には、隣接配置される他の床材本体１における小口面あるいは木端面と相互に噛み合う凹凸嵌合部３を形成してあり、例えば両小口面あるいは両木端面のいずれか一方は雄状の突条形部４、他方は雌状の凹溝形部５としてある。一般的には、いわゆる本実継ぎ、相じゃくり継ぎ、突き付け継ぎ、斜め継ぎ、矢筈継ぎ、雇い実継ぎ等の各種の構造・形状によって形成されており、表層部分の継ぎ目口は目立つことがないように配慮される。
【００２０】
次に、この考案の使用例を説明すると、図３に示すように敷設場所、例えば一般住宅における床面、屋内体育館における床面、文教施設における教室、廊下その他所定の床面上に、床材本体１を隣接させ、床材本体１における対向する凹凸嵌合部３相互の嵌め合いによって継いだ状態で床面上に直接に載置し、また固定することで敷設する。
【符号の説明】
【００２１】
１…床材本体                            ２…薄板材
３…凹凸嵌合部                          ４…突条形部
５…凹溝形部
【図１】
0003196836.tif 000003
【図２】
0003196836.tif 000004
【図３】
0003196836.tif 000005
【手続補正書】
【提出日】平成27年1月29日(2015.1.29)
【手続補正１】
【補正対象書類名】実用新案登録請求の範囲
【補正対象項目名】全文
【補正方法】変更
【補正の内容】
【実用新案登録請求の範囲】
【請求項１】
杉材、桧材、とど松材または唐松材による薄板材を、その繊維方向を直交させて積層して床材本体を形成し、この床材本体の木口面または木端面には、隣接する床材本体における木口面または木端面と相互に嵌め合い継ぎ合わせる凹凸嵌合部を形成したことを特徴とするフローリング用床材。
【請求項２】
床材本体の表層部分は、薄板材自体の無垢面の儘としてある請求項１に記載のフローリング用床材。
【請求項３】
床材本体の表層部分は、ＵＶウレタン、オイルまたは常温液体ガラス塗料による表面処理が施される請求項１または２に記載のフローリング用床材。
【手続補正２】
【補正対象書類名】明細書
【補正対象項目名】０００６
【補正方法】変更
【補正の内容】
【０００６】  上述した課題を解決するため、この考案にあっては、後述する考案を実施するための形態における使用符号を付記して説明すると、杉材、桧材、とど松材または唐松材による薄板材２を、その繊維方向を直交させて積層して床材本体１を形成し、この床材本体１の木口面または木端面には、隣接する床材本体１における木口面または木端面と相互に嵌め合い継ぎ合わせる凹凸嵌合部３を形成したことを特徴とする。  床材本体１の表層部分は、薄板材２自体の無垢面の儘として、また、ＵＶウレタン、オイルまたは常温液体ガラス塗料による表面処理が施されることで構成することができる。
【手続補正３】
【補正対象書類名】明細書
【補正対象項目名】０００７
【補正方法】変更
【補正の内容】
【０００７】  以上のように構成されたこの考案に係るフローリング用床材にあって、薄板材２を積層形成した床材本体１は、繊維方向が直交された状態で積層されていることで反りを生じさせず、凹凸嵌合部３によって隣接配置される他の床材本体１を確実に継ぎ合わせる。  床材本体１の表層部分は、杉材、桧材、とど松材または唐松材の薄板材２に表出されている無垢面が素材自体をそのまま活用させ、天然木の風合いを醸成させる。  ＵＶウレタン、オイルまたは常温液体ガラス塗料による表面処理が施されることで、床板本体１の表層部分を外部からの衝撃その他から保護させる。
【手続補正４】
【補正対象書類名】明細書
【補正対象項目名】０００９
【補正方法】変更
【補正の内容】
【０００９】  すなわちこれはこの考案において、杉材、桧材、とど松材または唐松材による薄板材２を、その繊維方向を直交させて積層して成る床材本体１の木口面または木端面に、隣接配置される床材本体１と相互に継ぎ合わせる凹凸嵌合部３を形成したからであり、これによって、天然木そのものの風合いの維持、コストダウンによる大幅な提供価格の低減化、それによる需要の喚起を図り得、更に国産材の使用によっての国策協力の利点を得ることにも寄与できる。
【手続補正５】
【補正対象書類名】明細書
【補正対象項目名】００１０
【補正方法】変更
【補正の内容】
【００１０】  また、床材本体１の表層部分に、ＵＶウレタン、オイルまたは常温液体ガラス塗料による表面処理が施されることで、これらが表層部分を例えば外部からの衝撃その他から床材本体１を保護し、長期にわたってこれを維持させることができる。
【手続補正６】
【補正対象書類名】明細書
【補正対象項目名】００１８
【補正方法】変更
【補正の内容】
【００１８】  なお、場合によっては、床材本体１の表層部分に、ＵＶウレタン、オイルまたは常温液体ガラス塗料、例えば商品名「グラノール」（登録商標）による表面処理を施すことも可能であり、こうすることで表層部分を外部からの衝撃その他から保護し、この考案による床材本体１における無垢材の儘の状態を長期にわたり維持させることができる。